(57)【特許請求の範囲】
【請求項１】
ブラシ部と把持部とを備えた物品に適用可能なブラシ部交換構造であって、
前記ブラシ部は係合部を備え、
前記把持部は弾力性を有する係合片を備え、
前記係合部と前記係合片とが係合した状態の前記ブラシ部と前記把持部の係合部分を覆い、補強する剛性の高い接合環が前記把持部側に取付けられていることを特徴とするブラシ部交換構造。
【請求項２】
前記ブラシ部の前記係合部に第１ロック部が形成され、
前記把持部の前記係合片には前記第１ロック部に対応する第２ロック部が形成され、
前記第１ロック部と前記第２ロック部の係合時にはロック機構が構成され、前記ブラシ部と前記把持部とが強固に結合されることを特徴とする請求項１記載のブラシ部交換構造。
【請求項３】
前記接合環の内側に、前記係合片の部分を収容可能な収納部が形成されていることを特徴とする請求項１又は請求項２記載のブラシ部交換構造。
【請求項４】
前記ブラシ部の第１ロック部がロック突条であり、
前記把持部の第２ロック部がロック凹状であることを特徴とする請求項２又は請求項３記載のブラシ部交換構造。
【請求項５】
ブラシ部と把持部とを備えた物品に適用可能なブラシ部交換構造であって、
前記ブラシ部は弾力性を有する係合片を備え、
前記把持部は係合部を備え、
前記係合片と前記係合部とが係合した状態の前記ブラシ部と前記把持部の係合部分を覆い、補強する剛性の高い接合環が前記把持部側に取付けられていることを特徴とするブラシ部交換構造。
【請求項６】
前記ブラシ部の前記係合片に第１ロック部が形成され、
前記把持部の前記係合部には前記第１ロック部に対応する第２ロック部が形成され、
前記第１ロック部と前記第２ロック部の係合時にはロック機構が構成され、前記ブラシ部と前記把持部とが強固に結合されることを特徴とする請求項５記載のブラシ部交換構造。
【請求項７】
前記接合環の内側には前記係合片の部分を収容可能な収納部が形成されていることを特徴とする請求項５又は請求項６記載のブラシ部交換構造。
【請求項８】
前記ブラシ部の第１ロック部がロック凹条であり、
前記把持部の第２ロック部がロック突状であることを特徴とする請求項６又は請求項７記載のブラシ部交換構造。
【発明の詳細な説明】
【技術分野】
【０００１】
本発明は、ブラシ部交換構造に関し、より詳細には、歯ブラシや洋服ブラシ、その他ブラシ部及び把持部を備えた数多くの物品（ブラシ）に適用可能なブラシ部交換構造に関する。
【背景技術】
【０００２】
この種、ブラシ部交換構造を歯ブラシに適用したものとして、例えば、実用新案登録第３０３９６１１号公報（特許文献１）に記載のブラシ部交換式歯ブラシがある。
【０００３】
図７は、上記特許文献１において開示されたブラシ部交換式歯ブラシの構成を示す縦断面図であり、図８は、握り部の軸穴を示す拡大平面図である。
【０００４】
握り部１００の端部には、軸穴１０１が形成されており、ブラシ部２００の柄部２１０には、軸穴１０１に係合させる凸部２１１が形成されている。軸穴１０１に凸部２１１を係合させることにより、歯ブラシとして使用可能になる。また、図８に示すように、軸穴１０１の周囲には４本の割溝１０２が形成され、凸部２１１の軸穴１０１への挿入が弾性を利用して容易に行えるようになっている。
［発明が解決しようとする課題］
【０００５】
しかしながら、上記した歯ブラシでは、軸穴１０１の周囲に、４本の割溝１０２が形成されているため、握り部１００端部の強度が弱くなっており、また、通常、握り部１００は樹脂で形成されるため、強度的にそう強いものではない。このため、使用していると、早期にこの端部が破損してしまい、歯ブラシとして使用できなくなるといった課題があった。
【０００６】
また、握り部１００端部の強度を強めるために、これら割溝１０２を形成しないとすることも考えられるが、その場合には、凸部２１１と軸穴１０１との製造精度に厳しいものが求められ、製造コストが高くなってしまうといった課題があった。精度が悪く、少しでも凸部２１１の径が大きすぎると、凸部２１１の軸穴１０１への挿入が不可能となったり、一旦挿入できても、取り外しが困難になってしまう。逆に少しでも凸部２１１の径が小さすぎると、係合が緩くなり、握り部１００からブラシ部２００がすぐに外れてしまうといった課題があった。
【先行技術文献】
【特許文献】
【０００７】
【特許文献１】実用新案登録第３０３９６１１号公報
【発明の概要】
【課題を解決するための手段及びその効果】
【０００８】
本発明は上記課題に鑑みなされたものであって、地球環境に優しく、丈夫で長持ちし、コストパフォーマンスを高めることができ、しかも取付け、取外しも容易な、数多くの物品（ブラシ）に適用可能なブラシ部交換構造を提供することを目的としている。
【０００９】
上記目的を達成するために本発明に係るブラシ部交換構造（１）は、ブラシ部と把持部とを備えた物品に適用可能なブラシ部交換構造であって、
前記ブラシ部は係合部を備え、
前記把持部は弾力性を有する係合片を備え、
前記係合部と前記係合片とが係合した状態の前記ブラシ部と前記把持部の係合部分を覆い、補強する剛性の高い接合環が前記把持部側に取付けられていることを特徴としている。
【００１０】
上記ブラシ部交換構造（１）によれば、使用によりブラシ部の毛の部分が摩耗すれば、ブラシ部のみを新品のものに交換して把持部はそのまま使用できるので、捨てる部分を例えば３分の１程度の資源消費量に抑えることができ、地球環境に優しい製品を提供できることとなる。
【００１１】
また、前記ブラシ部と前記把持部の係合部分を覆い、補強する接合環が前記把持部側に取付けられているので、前記把持部の早期破損をなくすことができ、この点からも、資源消費量をさらに抑えることができ、地球環境に優しい製品を提供できることとなる。
【００１２】
また、前記係合片の弾性を利用して前記係合部を係合させられるので、要求される製造精度の厳しさが緩和され、製造が容易となり、製造コストを低く抑えることができることとなる。
【００１３】
また、本発明に係るブラシ部交換構造（２）は、上記ブラシ部交換構造（１）において、前記ブラシ部の前記係合部に第１ロック部が形成され、
前記把持部の前記係合片には前記第１ロック部に対応する第２ロック部が形成され、
前記第１ロック部と前記第２ロック部の係合時にはロック機構が構成され、前記ブラシ部と前記把持部とが強固に結合されることを特徴としている。
【００１４】
上記ブラシ部交換構造（２）によれば、前記ブラシ部の前記把持部への取り付け時、前記ブラシ部が前記把持部に強固に固定されることとなり、ブラシの使用時にも安心してブラッシングを行えることとなる。
【００１５】
また、本発明に係るブラシ部交換構造（３）は、上記ブラシ部交換構造（１）又は（２）において、前記接合環の内側に、前記係合片を部分的に収容可能な収納部が形成されていることを特徴としている。
【００１６】
上記ブラシ部交換構造（３）によれば、前記接合環の内側に、前記係合片を部分的に収容可能な収納部が形成されているので、前記係合片の弾性を十分生かして前記ブラシ部を前記把持部に取り付けることができ、また、逆に取り外しの際にも、前記係合片の弾性を十分生かして前記ブラシ部を前記把持部から取り外すことができ、取付け及び取外しを容易なものとすることができる。
【００１７】
また、本発明に係るブラシ部交換構造（４）は、上記ブラシ部交換構造（２）又は（３）において、前記ブラシ部のロック部がロック突条であり、前記把持部の前記ロック部がロック凹状であるように構成されていることを特徴としている。
【００１８】
上記ブラシ部交換構造（４）によれば、前記ロック突条と前記ロック凹状との長さを有する係合により、前記ロック機構を安定的に作用するものとでき、ブラシとしての使用時に安心してブラッシングを行えることとなる。
【００１９】
また、本発明に係るブラシ部交換構造（５）は、ブラシ部と把持部とを備えた物品に適用可能なブラシ部交換構造であって、
前記ブラシ部は弾力性を有する係合片を備え、
前記把持部は係合部を備え、
前記係合片と前記係合部とが係合した状態の前記ブラシ部と前記把持部との係合部分を覆い、補強する剛性の高い接合環が前記把持部側に取付けられていることを特徴としている。
【００２０】
上記ブラシ部交換構造（５）によれば、使用によりブラシ部の毛の部分が摩耗すれば、ブラシ部のみを新品のものに交換して把持部はそのまま使用することができるので、捨てる部分を例えば３分の１程度の資源消費量に抑えることができ、地球環境に優しい製品を提供できることとなる。
【００２１】
また、前記ブラシ部と前記把持部との係合部分を覆い、補強する接合環が前記把持部側に取付けられているので、前記把持部の早期破損をなくすことができ、この点からも、資源消費量をさらに抑えることができ、地球環境に優しい製品を提供できることとなる。
【００２２】
また、前記係合片の弾性を利用して前記係合部を係合させられるので、要求される製造精度の厳しさが緩和され、製造が容易となり、製造コストを抑えることができることとなる。
【００２３】
また、本発明に係るブラシ部交換構造（６）は、上記ブラシ部交換構造（５）において、前記ブラシ部の前記係合片に第１ロック部が形成され、
前記把持部の前記係合部には前記第１ロック部に対応する第２ロック部が形成され、
前記第１ロック部と前記第２ロック部の係合時にはロック機構が構成され、前記ブラシ部と前記把持部とが強固に結合されることを特徴としている。
【００２４】
上記ブラシ部交換構造（６）によれば、前記ブラシ部の前記把持部への取り付け時、前記ブラシ部が前記把持部に強固に固定されることとなり、ブラシの使用時にも安心してブラッシングを行えることとなる。
【００２５】
また、本発明に係るブラシ部交換構造（７）は、上記ブラシ部交換構造（５）又は（６）において、前記接合環の内側に、前記係合片を部分的に収容可能な収納部が形成されていることを特徴としている。
【００２６】
上記ブラシ部交換構造（７）によれば、前記接合環の内側に、前記係合片を部分的に収容可能な収納部が形成されているので、前記係合片の弾性を十分生かして前記ブラシ部を前記把持部に取り付けることができ、また、逆に取り外しの際にも、前記係合片の弾性を十分生かして前記ブラシ部を前記把持部から取り外すことができ、取付け及び取外しを容易なものとすることができる。
【００２７】
また、本発明に係るブラシ部交換構造（８）は、上記ブラシ部交換構造（６）又は（７）において、前記ブラシ部のロック部がロック凹条であり、前記把持部の前記ロック部がロック突状であるように構成されていることを特徴としている。
【００２８】
上記ブラシ部交換構造（８）によれば、前記ロック凹条と前記ロック突状との長さを有する係合により、前記ロック機構を安定的に作用するものとでき、ブラシとしての使用時に安心してブラッシングを行えることとなる。
【図面の簡単な説明】
【００２９】
【図１】本発明の実施の形態に係るブラシ部交換構造を構成する要部を実線で示した正面図である。
【図２】実施の形態に係るブラシ部交換構造を構成する要部を実線で示した側面図である。
【図３】実施の形態に係るブラシ部交換構造を構成する要部を正面から見た断面図である。
【図４】実施の形態に係るブラシ部交換構造を構成する要素を分解した状態を示す分解斜視図である。
【図５】実施の形態に係るブラシ部交換構造を構成する要素を分解した状態を示す背面側から見た分解斜視図である。
【図６】別の実施の形態に係るブラシ部交換構造を構成する要部を正面から見た断面図である。
【図７】従来のブラシ部交換式歯ブラシの構成を示す縦断面図である。
【図８】従来のブラシ部交換式歯ブラシの握り部の軸穴を示す拡大平面図である。
【発明を実施するための形態】
【００３０】
以下、本発明に係るブラシ部交換構造の実施の形態を図面に基づいて説明する。図１は、歯ブラシに適用した場合の第１の実施の形態に係るブラシ部交換構造の要部を実線で示し、他の部分を破線で示した正面図であり、図２は側面図であり、図３は要部を拡大して示した正面断面図であり、図４は要素を分解した状態で示した分解斜視図であり、図５は背面側から見た分解斜視図である。
【００３１】
第１の実施の形態に係るブラシ部交換構造は、ブラシ部１０、把持部２０、接合環３０を含んで構成されている。
ブラシ部１０はブラシヘッド１１を備え、ブラシヘッド１１にはブラシ１２が植毛されている。ブラシヘッド１１の把持部２０側には第１段部１３ａが形成され、第１段部１３ａの把持部２０側が係合部１４となっている。係合部１４の中間位置には第２段部１３ｂが形成されており、この第２段部１３ｂ近傍の把持部２０側両側面にはロック突条１６が形成されている。第１段部１３ａの背面には照合突起１５（図５）が形成されている。
【００３２】
把持部２０には、第１段部２１と第２段部２２が形成され、この第１段部２１の先端側が係合片２３となっている。係合片２３のロック突条１６に対応する内側両側面にはロック凹状２４が形成されている。第２段部２２の正面側の面には幅広の照合突起２５（図４）が形成され、背面側の面には幅が狭い照合突起２６（図５）が形成されている。
【００３３】
接合環３０のブラシ部１０側は係合支持部３１となっており、この係合支持部３１の把持部２０側には把持部２０の係合片２３の一部分を収容可能な収納部３２が形成されている。収納部３２のさらに把持部２０側が接続部３３となっており、この接続部３３において、接合環３０は把持部２０の第２段部２２先端側に密接的に取付けられている。係合支持部３１の背面内側には照合突起１５に対応する照合凹部３４（図５）が形成され、接続部３３の正面内側には照合突起２５（図４）に対応して幅広の照合凹部（図示せず）が形成され、背面内側には照合突起２６（図５）に対応して幅が狭い照合凹部（図示せず）が形成されている。
【００３４】
本ブラシ部交換構造を歯ブラシに適用した場合には、ブラシ部１０を構成する材料としては、ポリプロピレン（ＰＰ）などの樹脂が好ましく、把持部２０を構成する材料としては耐久性の観点からアクリロニトリルスチレン樹脂（ＡＳ樹脂）が好ましい。
【００３５】
洋服ブラシなどに適用する場合には、ブラシ部１０、把持部２０、共に木製である場合も多いが、接合環３０は耐久性の点からいずれの場合も金属製あるいはＡＳ樹脂製であることが望ましく、デザイン的美的観点からはステンレス製とすることが望ましい。
【００３６】
上記のように構成されたブラシ部交換構造にあっては、ブラシ部１０のブラシ１２が使用により摩耗した場合には、ブラシ部１０のみを把持部２０から取外し、新品のものと容易に交換することができる。ブラシ部１０を構成する資源消費量を全体の３分の１程度に抑えておけば、捨てる部分が３分の１程度で新品のものと同様のものに再生させることができ、地球環境に優しい製品を提供することができる。
【００３７】
また、ブラシ部１０と把持部２０との係合部分を覆い、補強する接合環３０が把持部２０側に密接的に取付けられているので、把持部２０の早期破損を阻止して、丁寧に扱えば、把持部２０及び接合環３０は半永久的に使用することができ、この点からも、資源消費量を低く抑えることができ、地球環境に優しい製品を提供できる。
【００３８】
また、係合片２３の弾性を利用して係合部１４を係合させられるので、要求される製品製造精度の厳しさが緩和され、製造が容易となり、製造コストを低く抑えることができることとなる。
また、ロック突条１６とロック凹状２４との係合時にはロック機構が構成され、ブラシ部１０と把持部２０とが強固に安定的に結合され、ブラシの使用時にも安心してブラッシングを行えることとなる。
【００３９】
また、接合環３０の内側には、係合片２３を部分的に収容可能な収納部３２が形成されているので、係合片２３の弾性を十分生かしてブラシ部１０を把持部２０に取り付けることができ、また、逆にブラシ部１０を取り外す際にも、係合片２３の弾性を十分生かして把持部２０から取り外すことができ、ブラシ部１０の取付け及び取外しを容易なものとすることができる。
【００４０】
また、照合突起１５、２５、２６、照合凹部３４、３５、３６が形成されているため、接合部の清掃のため、一旦、ブラシ部１０、把持部２０、接合環３０の３つの構成部品に分解したとしても、ブラシ部１０、把持部２０、接合環３０のそれぞれの向きを間違えることなく容易に組み立てることができる。
【００４１】
図６は、第２の実施の形態に係るブラシ部交換構造を歯ブラシに適用した場合の要部を示した正面断面図である。
本第２の実施の形態に係るブラシ部交換構造は、ブラシ部１０Ａ、把持部２０Ａ、接合環３０Ａを含んで構成されている。
【００４２】
ブラシ部１０Ａの把持部２０Ａ側には第１段部１３Ａが形成され、第１段部１３Ａの把持部２０Ａ側が係合片１４Ａとなっている。係合片１４Ａの先端部近傍位置内側両側面にはロック凹条１６Ａが形成されている。第１段部１３Ａの背面には照合突起（図示せず）が形成されている。
【００４３】
把持部２０Ａには、第１段部２１Ａと第２段部２２Ａが形成され、この第１段部２１Ａの先端側が係合部２３Ａとなっている。係合部２３Ａのロック凹条１６Ａに対応する両側面にはロック突状２４Ａが形成されている。
【００４４】
接合環３０Ａのブラシ部１０Ａ側は係合支持部３１Ａとなっており、この係合支持部３１Ａの把持部２０Ａ側にはブラシ部１０Ａの係合片１４Ａを部分的に収容可能な収納部３２Ａが形成されている。収納部３２Ａのさらに把持部２０Ａ側が接続部３３Ａとなっており、この接続部３３Ａにおいて、接合環３０は把持部２０の第２段部２２Ａ先端側に精密に嵌め込み取付けられている。係合支持部３１Ａの背面内側にはブラシヘッド１１Ａに形成された照合突起（図示せず）に対応する照合凹部（図示せず）が形成されている。
【００４５】
第２の実施の形態に係るブラシ部交換構造においては、上記しない他の構成部分については、上記第１の実施の形態に係るブラシ部交換構造と同様に構成されており、第２の実施の形態に係るブラシ部交換構造においても、上記第１の実施の形態に係るブラシ部交換構造と同様の効果を得ることができる。
【産業上の利用分野】
【００４６】
本ブラシ部交換構造は歯ブラシの他、洋服ブラシ、ボディブラシ、メイクブラシ、コップ底洗いブラシ、洗濯ブラシ、キッチンたわし、風呂洗いブラシ、タイル目地ブラシ、電動歯ブラシ、電動食器洗いブラシなど、ブラシ部を有し、ブラシが消耗しやすいものには、何でも適用可能であり、幅広い産業分野に利用可能である。
【符号の説明】
【００４７】
１０，１０Ａ    ブラシ部
１１、１１Ａ    ブラシヘッド
１２            ブラシ
１３ａ、１３Ａ          第１段部
１３ｂ          第２段部
１４            係合部
１４Ａ          係合片
１５            照合突起
１６            ロック突条
１６Ａ          ロック凹状
２０、２０Ａ    把持部
２１、２１Ａ    第１段部
２２、２２Ａ    第２段部
２３            係合片
２３Ａ          係合部
２４            ロック凹状
２４Ａ          ロック突条
２５、２６      照合突起
３０，３０Ａ    接合環
３１、３１Ａ    係合支持部
３２、３２Ａ    収納部
３３、３３Ａ    接続部
３４、３４Ａ    照合凹部
３５、３６      照合凹部
【図１】
0006387050.tif 000002
【図２】
0006387050.tif 000003
【図３】
0006387050.tif 000004
【図４】
0006387050.tif 000005
【図５】
0006387050.tif 000006
【図６】
0006387050.tif 000007
【図７】
0006387050.tif 000008
【図８】
0006387050.tif 000009